(57)【要約】【課題】  印字像のほぼ全体を印鑑の上斜めから見ることができ、しかも捺印までの操作で方向がぶれない程度の適当な距離離しても鮮明な印字像を見ることのできる印鑑を提供することを目的とするものである。【解決手段】  機材部１と透明材料よりなる印材部２とからなり、機材部１内に光源３及び電源４を設置すると共に、光源３から発する光を印材部２の受光面５に入射させて印材部２を通過させ、印材部２の印字面６から放射させることによって捺印面に印字像を投影させることを特徴とする投影可能な印鑑を提供する。【選択図】  図１
2007216534.tif 000002
【特許請求の範囲】
【請求項１】
機材部と透明材料よりなる印材部とからなり、前記機材部内に光源及び電源を設置すると共に、前記光源から発する光を前記印材部の受光面に入射させて前記印材部を通過させ、前記印材部の印字面から放射させることによって捺印面に印字像を投影させることを特徴とする投影可能な印鑑。
【請求項２】
光源がＬＥＤである請求項１記載の印鑑。
【請求項３】
印材部の印字面から２０ｍｍ離れた捺印面に投影された印字像の大きさが、印字の大きさの３．５倍以下である請求項１又は２に記載の印鑑。
【請求項４】
印材部の断面形状が円形又は楕円形である請求項１乃至３のいずれかに記載の印鑑。
【請求項５】
機材部の外側ケースに、絶縁体部を介して隔離された２つの導電体部を設け、各導電体部を、前記光源と前記電源とを結ぶ電気回路の正負のいずれかと夫々接続し、前記絶縁体部を跨いで２つの導電体部に人体の一部が同時に接触することにより、電気回路が閉じ、前記光源が点灯する構造としたことを特徴とする、請求項１乃至４のいずれかに記載の印鑑。
【発明の詳細な説明】
【技術分野】
【０００１】
本発明は、投影可能な印鑑に関し、紙面など捺印面に印字像を投影させることのできる印鑑であって、印字面を捺印面から適当な距離離しても鮮明な印字像を見ることのできる印鑑に関するものである。
【背景技術】
【０００２】
印鑑を用いて、印字の上下を紙面に対して正しく押印することは難しい。
従来、印鑑本体の胴部にカット面や突起を設けて、押印する時の指の感触で天地を調節する方法が良く用いられているが、これは必ずしも充分な効果を示すとは云えない。
【０００３】
そこで印鑑の中に電球を設置して印影を紙上で見えるようにした印鑑が提案されている（例えば、特許文献１参照）。
しかしながら、単に印鑑内に電球を入れただけでは、印字面からの投射光が拡がって印字面を紙面から離すと印字像がぼやけてしまう。
このため、少しでも鮮明な印字像を得ようとすると、今度は印鑑が紙面に近付き過ぎて、印字像が判読できなくなるという不都合があった。
【０００４】
【特許文献１】実開平７−２３５６０号公報
【発明の開示】
【発明が解決しようとする課題】
【０００５】
本発明は、上記従来の問題点を解消し、印字像のほぼ全体を印鑑の上斜めから見ることができ、しかも捺印までの操作で方向がぶれない程度の適当な距離離しても鮮明な印字像を見ることのできる印鑑を提供することを目的とするものである。
【課題を解決するための手段】
【０００６】
請求項１に係る本発明は、機材部と透明材料よりなる印材部とからなり、前記機材部内に光源及び電源を設置すると共に、前記光源から発する光を前記印材部の受光面に入射させて前記印材部を通過させ、前記印材部の印字面から放射させることによって捺印面に印字像を投影させることを特徴とする投影可能な印鑑を提供するものである。
請求項２に係る本発明は、光源がＬＥＤである請求項１記載の印鑑を提供するものである。
請求項３に係る本発明は、印材部の印字面から２０ｍｍ離れた捺印面に投影された印字像の大きさが、印字の大きさの３．５倍以下である請求項１又は２に記載の印鑑を提供するものである。
請求項４に係る本発明は、印材部の断面形状が円形又は楕円形である請求項１乃至３のいずれかに記載の印鑑を提供するものである。
請求項５に係る本発明は、機材部の外側ケースに、絶縁体部を介して隔離された２つの導電体部を設け、各導電体部を、前記光源と前記電源とを結ぶ電気回路の正負のいずれかと夫々接続し、前記絶縁体部を跨いで２つの導電体部に人体の一部が同時に接触することにより、電気回路が閉じ、前記光源が点灯する構造としたことを特徴とする、請求項１乃至４のいずれかに記載の印鑑を提供するものである。
【発明の効果】
【０００７】
本発明によれば、印字像のほぼ全体を印鑑の上斜めから見ることができ、しかも捺印までの操作で方向がぶれない程度の適当な距離離しても鮮明な印字像を見ることができる。
従って、本発明によれば、印字の上下を紙面など捺印面に対して正しく押印することが容易である。
本発明によれば、押印するために紙面など捺印面に印鑑の印字面を近付けた時、印鑑の印字面と紙面など捺印面との距離がある程度あっても、印鑑の印字面から放射される光によって印字像が紙面など捺印面上に鮮明に投影されるため、その投影像を見ながら、字の位置、方向が正しくなるように指で調整して押印することが可能となる。
【発明を実施するための最良の形態】
【０００８】
請求項１に係る本発明は、投影可能な印鑑に関し、機材部と透明材料よりなる印材部とからなり、前記機材部内に光源及び電源を設置すると共に、前記光源から発する光を前記印材部の受光面に入射させて前記印材部を通過させ、前記印材部の印字面から放射させることによって捺印面に印字像を投影させることを特徴とするものである。
【０００９】
以下、請求項１に係る本発明について、図面を参照しつつ詳細に説明する。
図１は、請求項１に係る本発明の印鑑の１態様を示す説明図である。図２は、図１に示す本発明の印鑑を分解した状態を示す説明図である。図中、符号１は機材部、符号２は印材部、符号３は光源、符号４は電源、符号５は受光面、符号６は印字面、符号６Ａは凸部印字表面、符号６Ｂは凹部表面である。
【００１０】
請求項１に係る本発明の印鑑は、機材部１と透明材料よりなる印材部２とからなる。
機材部１と印材部２を合わせた印鑑全体の形状としては、通常使用されている印鑑の形状であれば特に限定されない。図１では、略円筒形状のものを示した。印材部２における印字面６の形としては、円形、楕円形、四角形など、様々な形のものが挙げられる。
この機材部１の函体或いは外側ケースは、透明であってもよいが透明である必要はなく、むしろ内部が見えないように不透明材料とするのが一般的である。通常は、機材部１の函体或いは外側ケースの側面に、濃色、例えば黒色等の不透明化被膜を設け、函体或いは外側ケースの側面を不透明化する。但し、この場合、函体或いは外側ケースの側面を不透明化しうるものであれば、濃色に限定されるものではない。例えば、函体或いは外側ケースの側面をアルミ箔などで覆ってもよいし、或いは函体或いは外側ケースの側面が不透明となるように不透明樹脂等をコーティングしてもよい。
【００１１】
この機材部１内に光源３及び電源４が設置されている。
光源３としては特に限定されるものではないが、スペースをあまり取らない小型のものであって、充分な輝度を有し、消費電力が少なく、寿命の長いものが好ましい。特に、請求項２に記載したように、ＬＥＤは好適である。
ＬＥＤとしては強制的に角度を強く絞ったものや光が拡がり過ぎるものは好ましくなく、通常のものがよい。そのような通常のＬＥＤの指向半値角としては、６０度前後のものが好ましい。
光源３用の電源４としては、印鑑に取り付けられる大きさの小型電池、例えば乾電池、釦電池が好ましい。
【００１２】
一方、印材部２は透明材料よりなるものであり、中実状のものの他に中空状のものを用いることができるが、中実状のものが好ましい。透明であれば材質は特に限定されず、水晶、ガラス、プラスチック（ポリエステル樹脂やアクリル樹脂など）等、多くの透明なものが使用可能である。
【００１３】
請求項１に係る本発明の印鑑においては、印材部２の受光面５に、光源３から発する光が入射するようにされている。
この印材部２の受光面５の形状は、平面であることが好ましいが、必要に応じて凸面或いは凹面としてもよい。
なお、印材部２の断面形状としては、請求項４に記載したように、捺印された画像の上下を正確に決めにくい、円形又は楕円形であるものについて本発明の印鑑は有効である。
【００１４】
この印材部２の印字面６には、通常の印鑑と同様に凸部印字表面６Ａと、印字表面以外のその他の凹部表面６Ｂとが形成されており、本発明においては、これらも全て透明な材料よりなる。
但し、印材部２の側面に投射される光が全反射しないようにするため、印材部２の側面の全部又は一部の側面に、光を吸収させる被覆を行っておくことがよい。
【００１５】
請求項１に係る本発明の印鑑においては、前記印材部２における印字面６の凸部印字表面６Ａとその他の凹部表面６Ｂの光透過性に差を持たせて、前記印字面６から放射される光により捺印面に印字像を投影させる。
ここでその他の凹部表面６Ｂというのは、凸部印字表面６Ａ、つまり文字部及び枠部分以外の彫った部分を指している。なお、必要に応じて、凸部印字表面６Ａとその他の凹部表面６Ｂとを逆にしてもよい。
本発明においては、光を放射させたい部分、例えば凸部印字表面６Ａの表面を磨いておくとよい。要は、印字面６の凸部印字表面６Ａとその他の凹部表面６Ｂのいずれかを、より明るく光らせるようにするとよい。
【００１６】
印字面５の凸部印字表面６Ａとその他の凹部表面６Ｂとの光透過性に差を持たせるには、例えば、次に述べる４つの手段のうちのいずれか１以上の手段を採用すれば良い。
１）凸部印字表面６Ａの平滑性をその他の凹部表面６Ｂの平滑性より高くする。
２）その他の凹部表面６Ｂの平滑性を凸部印字表面６Ａの平滑性より高くする。
３）凹部表面６Ｂに光を遮蔽する被膜を設ける。
４）凸部印字表面６Ａに光を遮蔽する被膜を設ける。
【００１７】
ここで凸部印字表面６Ａの光透過性が、他の凹部表面６Ｂに較べて高い場合には印字部分（文字部分）が明るくなり、その逆の場合には印字部分が暗くなって、いずれも印字像を発現する。使用場所や使用目的等に応じて、いずれかを適宜選定すればよい。
凸部印字表面６Ａの光透過性が他の凹部表面６Ｂより高い場合には、印字に使用するインキとしては着色透明なものが適当である。逆に、凸部印字表面６Ａの光透過性が他の凹部表面６Ｂより低い場合には、インキは透明であっても不透明であっても良い。
そのようなインキとしては、染料系のものは勿論のこと、顔料系であっても、速乾性の朱肉として販売されている粒子が細かいものは、光を通しやすいため使用することができる。
【００１８】
光を遮蔽する被膜としては、例えば顔料入りコーティング用樹脂などの不透明材料からなる被膜を用いることができる。
【００１９】
請求項１に係る本発明の印鑑は、以上のようにして印材部２における印字面６の凸部印字表面６Ａとその他の凹部表面６Ｂの光透過性に差を持たせて、前記印字面６から放射される光により捺印面に印字像を投影させるものである。
【００２０】
請求項１に係る本発明の印鑑は、上記したように機材部１と透明材料よりなる印材部２とからなり、前記機材部１内に光源３及び電源４を設置すると共に、前記光源３から発する光を前記印材部２の受光面５に入射させて前記印材部２を通過させ、前記印材部２の印字面６から放射させることによって捺印面に印字像を投影させることを特徴とするものである。
請求項３に記載したように、本発明の印鑑は、前記印材部２の印字面から２０ｍｍ離れた捺印面に投影された印字像の大きさが印字の大きさの３．５倍以下であることが好ましい。
ここで印材部２の印字面から２０ｍｍ離れた捺印面に投影された印字像の大きさが、３．５倍以下でないと（即ち、３．５倍を超えると）、捺印面上に投影される印字像の鮮明度が低下してしまい、上下を判定する像としての価値が低くなってしまうため、好ましくない。
なお、印字像が小さい場合には、画像は鮮明ではあるものの、画像が小さ過ぎると見難くなることから、印材部２の印字面から２０ｍｍ離れた捺印面に投影された印字像の大きさとしては、１倍以上であることが好ましい。
【００２１】
本発明においては、印材部２の印字面から２０ｍｍ離れた捺印面に投影された印字像の大きさが、１〜３．５倍の範囲のものとするために、例えば次のような方策を採ることができる。
まず初めに、光源３から印材部２の印字面６までの距離は、１１〜３５ｍｍ、好ましくは１３〜３２ｍｍの範囲とする。
この距離が１１ｍｍより短いと、印字面６の最外周から放射される光の拡がり角が大きくなり、その結果、印字像の拡大倍率が大きくなり過ぎて、像の鮮明度が低下してしまう。一方、この距離が３５ｍｍを超えると、必然的に印鑑の長さが長くなり過ぎ、実用的でなくなってしまう。
【００２２】
次に、光源３から印材部２の受光面５までの距離は、１〜２５ｍｍ、好ましくは３〜２０ｍｍとする。
この距離が１ｍｍより短いと、光源３から印字面６までの距離も短くなり、印字面の最外周から放射される光の拡がり角が大きくなり、その結果、印字像の過度の拡大を招いてしまう。同時に、印字面６の最外周に届く光の量が減少するため、印字像の外周がぼやけてしまう。一方、この距離が２５ｍｍを超えると、必然的に印鑑の長さが長くなり過ぎ、実用的でなくなってしまう。
【００２３】
さらに、印材部２の長さは、印鑑の大きさにもよるが、５〜３０ｍｍ、好ましくは７〜２５ｍｍとする。
印材部２の長さが５ｍｍより短いと、光源３から印字面６までの距離が短くなって、印字像の過度の拡大による鮮明度の低下を招く。同時に、印字面６の最外周に届く光の量が減少し、印字像の外周がぼやけてしまう。一方、この距離が３０ｍｍを超えると、印鑑自身が長大になるという欠点と、光源３から入射した光のうち、印材部２の側面で全反射してから印字面６に達する光が増えてきて、画像に印字以外の結像が現れ易くなるという欠点がある。
なお、印材部２の先端の印字面６の部分は、必要に応じて先細状のテーパー部としておいてもよい。
【００２４】
なお、請求項１に係る本発明の印鑑を点灯させる構造として、以下の如き構造を採用するとよい。図３は、請求項１に係る本発明の印鑑を点灯させる構造の１態様を示す一部切り欠き説明図であり、図４は、図３における絶縁体部７付近を切り欠いた状態を示す説明図である。
【００２５】
即ち、請求項１に係る本発明の印鑑を点灯させる構造として、請求項５に記載したように、機材部１の外側ケースに、絶縁体部７を介して隔離された２つの導電体部８Ａ、８Ｂを設け、各導電体部８Ａ、８Ｂを、前記光源３と前記電源４を結ぶ電気回路の正負のいずれかと夫々接続し、前記絶縁体部７を跨いで２つの導電体部８Ａ、８Ｂに人体の一部（例えば指）が同時に接触することにより、電気回路が閉じ、前記光源３が点灯する構造とすることが好ましい。
【００２６】
ここで導電体部８Ａ、８Ｂは、機材部１の函体或いは外側ケースを、鉄、アルミニウムなどの導電物質（通電物質）で作成することにより作成されている。
また、絶縁体部７は、ＡＢＳ樹脂などのプラスチック材料で作成されている。
具体的には、光源３と接続している基板９を絶縁体で包囲するようにし、その一部周面を印鑑外周の一部となるように膨出させて、図示したように絶縁体部７を作成している。この膨出させた絶縁体部７以外の部分の絶縁体１０Ａ,１０Ｂは、機材部１の函体或いは外側ケース内、つまり導電体部８Ａ、８Ｂの内部、に収納された形となっている。
そして前記光源３と前記電源４を結ぶ電気回路の正負のいずれかと繋がる接触片１１Ａ、１１Ｂが、絶縁体１０Ａ,１０Ｂより突出させられ、導電物質（通電物質）で作成された機材部１の函体或いは外側ケース、つまり導電体部８Ａ、８Ｂ、に当接するように配置されている。
図中、符号１２はバネであり、符号１３は導電体からなる電池ケース蓋である。バネ１２は図２に示すように電池ケース蓋１３に取付けてもよいし、これとは反対側に取付けてもよい。
【００２７】
従って、例えば絶縁体部７を境にしてマイナス極を帯びた導電体部８Ｂと、プラス極を帯びた導電体部８Ａとを同時に指で触ることにより、導通し、光源３に電流が流れ点灯することになる。
なお、このような点灯機構・構造は、キーライトなどにも応用することができる。
【００２８】
なお、必要に応じて、上記のような構造とせずに、電源のＯＮ−ＯＦＦ用のスイッチ（図示していない）を適宜位置に設けてもよい。この場合のスイッチとしては、スライド式スイッチ、回転式スイッチ、プッシュ式など形式は限定されないが、請求項５に記載したような触手式のものとすることが、捺印操作を煩雑とせず、しかも消し忘れがないなどの利点があるため好ましい。
【実施例】
【００２９】
次に、本発明の実施例を示すが、本発明はこれに限定されるものではない。
【００３０】
実施例１
図１〜４に示す構造を有する印鑑であって、印材部２の印字面６から２０ｍｍ離れた捺印面に投影された印字像（印影）の大きさ（印字の大きさに対する倍率）を、２．２５倍としたものについて、それぞれ印材部２の印字面６から２０ｍｍ離れた捺印面に投影された印字像を調べた。結果を図５に示す。
なお、この印鑑の印材部２の受光面５の形状は平面、印材部２の断面形状は円形、印材部２はアクリル製、印材部２の直径は１２ｍｍ、ＬＥＤの指向半値角は６０度であった。また、光源３から印材部２の印字面６までの距離は１９．５ｍｍ、光源３から印材部２の受光面５までの距離は４．５ｍｍ、印材部２の長さは１５ｍｍであった。
【００３１】
実施例２
図１〜４に示す構造を有する印鑑であって、印材部２の印字面６から２０ｍｍ離れた捺印面に投影された印字像（印影）の大きさ（印字の大きさに対する倍率）を、２．１倍としたものについて、それぞれ印材部２の印字面６から２０ｍｍ離れた捺印面に投影された印字像を調べた。結果を図６に示す。
なお、この印鑑の印材部２の受光面５の形状は平面、印材部２の断面形状は円形、印材部２はアクリル製、印材部２の直径は１２ｍｍ、ＬＥＤの指向半値角は６０度であった。また、光源３から印材部２の印字面６までの距離は２０．５ｍｍ、光源３から印材部２の受光面５までの距離は１０．５ｍｍ、印材部２の長さは１０ｍｍであった。
【００３２】
実施例３
図１〜４に示す構造を有する印鑑であって、印材部２の印字面６から２０ｍｍ離れた捺印面に投影された印字像（印影）の大きさ（印字の大きさに対する倍率）を、２．５倍としたものについて、それぞれ印材部２の印字面６から２０ｍｍ離れた捺印面に投影された印字像を調べた。結果を図７に示す。
なお、この印鑑の印材部２の受光面５の形状は平面、印材部２の断面形状は円形、印材部２はアクリル製、印材部２の直径は１２ｍｍ、ＬＥＤの指向半値角は６０度であった。また、光源３から印材部２の印字面６までの距離は１５．５ｍｍ、光源３から印材部２の受光面５までの距離は７．５ｍｍ、印材部２の長さは８ｍｍであった。
【００３３】
比較例１
図１〜４に示す構造を有する印鑑であって、印材部２の印字面６から２０ｍｍ離れた捺印面に投影された印字像（印影）の大きさ（印字の大きさに対する倍率）を、３．６倍としたものについて、それぞれ印材部２の印字面６から２０ｍｍ離れた捺印面に投影された印字像を調べた。結果を図８に示す。
なお、この印鑑の印材部２の受光面５の形状は平面、印材部２の断面形状は円形、印材部２はアクリル製、印材部２の直径は１２ｍｍ、ＬＥＤの指向半値角は６０度であった。また、光源３から印材部２の印字面６までの距離は６．５ｍｍ、光源３から印材部２の受光面５までの距離は１．５ｍｍ、印材部２の長さは５ｍｍであった。
【００３４】
図５〜７（実施例１〜３）から明らかなように、印材部の印字面から２０ｍｍ離れた捺印面に投影された印字像（印影）の大きさが印字の大きさの３．５倍以下の印鑑であると、鮮明な印字像（印影）を見ることができるが、これを超えると、図８（比較例１）に示すように不鮮明なものとなることが分かる。
【産業上の利用可能性】
【００３５】
本発明によれば、印字像のほぼ全体を印鑑の上斜めから見ることができ、しかも捺印までの操作で方向がぶれない程度の適当な距離離しても鮮明な印字像を見ることができる。
従って、本発明によれば、印字の上下を紙面など捺印面に対して正しく押印することが容易である。
本発明によれば、押印するために紙面など捺印面に印鑑の印字面を近付けた時、印字面と紙面など捺印面との距離がある程度あっても印字面から放射される光によって印字像が紙面など捺印面上に鮮明に投影されるため、その投影像を見ながら、字の位置、方向が正しくなるように指で調整して押印することが可能となる。
それ故、本発明は、印鑑分野において有効に利用することができる。
【図面の簡単な説明】
【００３６】
【図１】請求項１に係る本発明の印鑑の１態様を示す説明図である。
【図２】図１に示す本発明の印鑑を分解した状態を示す説明図である。
【図３】請求項１に係る本発明の印鑑を点灯させる構造の１態様を示す一部切り欠き説明図である。
【図４】図３における絶縁体７付近を切り欠いた状態を示す説明図である。
【図５】実施例１において、印材部２の印字面６から２０ｍｍ離れた捺印面に投影された印字像を調べた結果を示す写真像図である。
【図６】実施例２において、印材部２の印字面６から２０ｍｍ離れた捺印面に投影された印字像を調べた結果を示す写真像図である。
【図７】実施例３において、印材部２の印字面６から２０ｍｍ離れた捺印面に投影された印字像を調べた結果を示す写真像図である。
【図８】比較例１において、印材部２の印字面６から２０ｍｍ離れた捺印面に投影された印字像を調べた結果を示す写真像図である。
【符号の説明】
【００３７】
１  機材部
２  印材部
３  光源
４  電源
５  受光面
６  印字面
６Ａ  凸部印字表面
６Ｂ  凹部表面
７  絶縁体部
８Ａ、８Ｂ  導電体部
９  基板
１０Ａ  絶縁体
１０Ｂ  絶縁体
１１Ａ  接触片
１１Ｂ  接触片
１２  バネ
１３  電池ケース蓋
【図１】
2007216534.tif 000003
【図２】
2007216534.tif 000004
【図３】
2007216534.tif 000005
【図４】
2007216534.tif 000006
【図５】
2007216534.tif 000007
【図６】
2007216534.tif 000008
【図７】
2007216534.tif 000009
【図８】
2007216534.tif 000010